(57)【特許請求の範囲】
【請求項１】
設置した状態で水平面に対して所定の角度をなす傾斜面として形成した魚道及びこの魚道の途中に魚が休息可能な水溜め凹部をそれぞれ設けた上流側及び下流側ブロックを相補的な結合部によって互に結合してなり、各ブロックにおいては上記凹所へ水が流入する位置と当該凹所の水が流出する位置を異にするよう魚道の位置がずらされており、上流側のブロックにおける流出側の魚道に連続する位置に下流側のブロックの流入側の魚道が設けられていることを特徴とする魚道ブロック。
【請求項２】
請求項１記載の魚道ブロックにおいて、上記上流側ブロックの下方に下側ブロックが配置され、この下側ブロックは上面が開口し底面に排水孔を有する箱状に形成され、その上縁は上記上流側ブロック底面に相補的関係で互に結合し、その下流側壁面は上記下流側ブロックの流入側端に相補的関係で互に結合していることを特徴とする魚道ブロック。
【発明の詳細な説明】
【０００１】
【発明の属する技術分野】
この発明は、例えば堰堤等が設けられた河川や水路等において、産卵等のために魚が堰堤等を越えて上流へ遡ることのできる魚道を形成するための魚道ブロックに関する。
【０００２】
【従来の技術】
河川に滝、ダムや堰堤などがある場合に、例えば産卵のために上流に遡ろうとする魚類を堰堤等で止めないようにするために、堰堤等の下流側に傾斜面を形成してこの傾斜面を魚道とし、魚がこの魚道を通って遡り易くすることが考えられる。従って、この魚道の傾斜角度は、魚が遡ることができるように比較的小さくする必要がある。
【０００３】
【発明が解決しようとする課題】
しかし、堰堤の上流側の水位と下流側の水位の高さの差、即ち、落差が比較的大きい場合は、魚道の傾斜角度を小さくすると、魚道の長さが長くなって魚がその魚道を通り抜けることができないことがあるし、魚道を長くするとそれだけ施工費用が嵩むという問題がある。勿論、魚道の傾斜角度を大きくすると、魚が魚道を遡りにくくなる。
【０００４】
この発明は、堰堤等の箇所ように上流側と下流側の水位に落差のある箇所において、魚が容易に遡ることができ、安価に施工ができる魚道ブロックを提供することを目的とする。
【０００５】
【課題を解決するための手段】
本発明に係る魚道ブロックは、設置した状態で水平面に対して所定の角度をなす傾斜面として形成した魚道を上面部に設け、上記魚道の途中に魚が休息可能な水溜め凹部を設けたことを特徴とするものでありかつ上記魚道が、上記水溜め凹部に水を流入させるための流入側魚道と当該水溜め凹部から水を流出させるための流出側魚道とを備え、上記流入側魚道と上記流出側魚道が、上方から見て水の流れる方向に対して直交する略水平方向に互いにずらして配置されていることを特徴とするものである。
【０００６】
また、本発明に係る魚道ブロックは、請求項１の発明において、上記魚道ブロックが上側ブロックと下側ブロックとからなり、上記上側ブロックに上記魚道を設けてあり、上記下側ブロックは、上側に開口する中空のブロックであって底部に排水孔を有し側壁部に排気孔を有することを特徴とするものである。
【０００７】
本発明の魚道ブロックは、例えば堰堤等の下流側の川床に設置して、堰堤の上流側の水が魚道を通って下流側に流れ込むようにすることができる。これにより、堰堤等よりも下流側にいる魚が傾斜面により形成されている魚道を通って堰堤の上流側に遡ることができる。そして、魚道の途中に水溜め凹部を設けているので、この魚道を通って上流へ遡ろうとする魚がこの水溜め凹部で休息することができる。
そして、上流側の水が魚道を通って水溜め凹部に流入することによって、水溜め凹部に溜まっている水が泡立ち、これによって、水溜め凹部に溜まっている水に空気中の酸素を溶け込ませることができる。そして、水溜め凹部に溜まっている酸素が多く溶け込んだ水は、水溜め凹部から溢れて魚道を通って下流側に流出する。
【０００８】
また、水溜め凹部と接続する流入側魚道と流出側魚道は、上方から見て水の流れる方向に対して直交する略水平方向に互いにずらして配置してあるので、流入側魚道を通って水溜め凹部に流入してきた上流側の水の流れの勢い（流速）をこの水溜め凹部に溜まっている水により打ち消すことができ、水の流れの勢いが打ち消された水溜め凹部内の水を流出側魚道を通って下流側に流出させることができる。
【００１０】
本発明によると、魚道ブロックを上側ブロックと下側ブロックに分割してあるので、両者を一体に成形する場合と比較して夫々のブロックの重量を軽量にすることができるし、嵩を小さくすることができる。
そして、下側ブロックの構造を中空としているので、重量を軽量にすることができる。また、下側ブロックに排気孔及び排水孔を設けてあるので、施工の際にこの中空部に溜まった空気を外側に排出することができるし、中空部に流入してきた水を上側ブロックの側でなく川床の側に向かって排水させることができる。
【００１１】
【発明の実施の形態】
この発明に係る魚道ブロックの一実施形態を各図を参照して説明する。この実施形態の魚道ブロックは、コンクリート製であって、例えば図１及び図２に示すように、河川又は水路の底（川床）に設置して使用される。図において、１が魚道ブロックである。
この魚道ブロック１は、魚道６が設けられている第１の上側ブロック１ａ及び第２の上側ブロック１ｂと、第１の上側ブロック１ａの下側の設置されている下側ブロック２１と、から成っている。なお、第２の上側ブロック１ｂは、図２の平面図から見て第１の上側ブロック１ａと上下対称であるので、第１の上側ブロック１ａを説明し、第２の上側ブロック１ｂの説明を省略する。
【００１２】
第１の上側ブロック１ａは、図１及び図２に示すように、本体部３の上面２を下流側に向かって下る傾斜面で形成してあり、この上面２の略中央部に水溜め凹部４を設けてある。図１は、図２のＹ−Ｙ方向から見た断面図であり、この図に示すように、水溜め凹部４の底面は、円弧状に湾曲している。図５は、水溜め凹部４を図２のＺ−Ｚ方向から見た端面図である。
そして、第１の上側ブロック１ａの上面２には、図２の平面図に示すように、水溜め凹部４に水を流入させるための流入側魚道６ａ（６）と水溜め凹部４から水を流出させるための流出側魚道６ｂ（６）とを設けてあり、流入側魚道６ａと流出側魚道６ｂは、上方から見て水の流れる方向に対して直交する略水平方向に互いにずらして配置してある。図６は、流入側魚道６ａを図２のＹ−Ｙ方向から見た端面図であり、流出側魚道６ｂも同じ端面形状となっている。
また、図６等に示すように、この第１の上側ブロック１ａには、流入側及び流出側魚道６ａ、６ｂに沿って、本体部３の両側縁に所定の高さの側壁７、７を設けてある。なお、図３は、第１の上側ブロック１ａの正面図である。図４は、第１の上側ブロック１ａを図２のＷ−Ｗ方向から見た断面図である。
【００１３】
下側ブロック２１は、図１及び図７に示すように、平面形状が矩形であり、上側に開口する中空のブロックである。そして、底部２２には、４個の排水孔２５を穿設してあり、魚道６と平行する一対の各側壁部２３、２３には底部２２の近傍位置と上部位置とに各側壁部２３を貫通する合計１０個の排気孔２７、及び合計４個の排気孔２８を穿孔してある。
また、図７に示すように、この下側ブロック２１の側壁部２３の上端の内周縁には、段差部３０を設けてある。この段差部３０は、図１に示すように、第１の上側ブロック１ａの下面に突設されている突出部９と嵌合して、第１の上側ブロック１ａと下側ブロック２１とが水平方向に位置ずれを起こさないようにするためのものである。
更に、図１に示すように、第１の上側ブロック１ａの水の流入側の端部には凹部８を設けてあり、水の流出側の端部には凸部１０を設けてある。これらの凹部８と凸部１０は、図１に示すように、第１の上側ブロック１ａと第２の上側ブロック１ｂとを互いに連結する際に、この凹部８と凸部１０とを互いに嵌合させることにより両者が水平方向及び垂直方向に位置ずれを起こさないようにするためのものである。
そして、図６に示すように、第１の上側ブロック１ａには、吊り下げ金物係止用孔１１、及び吊り下げ金物係止用穴１２を設けてある。これら孔１１、穴１２は、この第１の上側ブロック１ａを設置する際にクレーン等にて吊り下げるために使用するものである。
また、図１に示すように、下側ブロック２１を設置する際には、その中空部（内側）に栗石を詰めてある。
【００１４】
次に、上記のように構成された魚道ブロック１の設置手順を図１を参照して説明する。まず、下側ブロック２１を堰堤Ｍの下流側側面に接触させた状態で川床Ｒに設置する。次に、第２の上側ブロック１ｂを下側ブロック２１の下流側に設置する。しかる後に、第１の上側ブロック１ａを下側ブロック２１上に設置する。このように設置された魚道ブロック１によると、堰堤Ｍよりも下流側に生息する魚が傾斜面により形成されている第２及び第１の上側ブロック１ｂ、１ａに設けられている流出側魚道６ｂ、水溜め凹部４、及び流入側魚道６ａを順次遡って上流側に辿り着くことができ、上流側で産卵することができる。そして、魚道１の途中の２箇所に水溜め凹部４を設けているので、この魚道１を通って上流へ遡ろうとする魚が夫々の水溜め凹部４で休息することができ、これにより、上流側に確実に辿り着くことができる。
そして、上流側の水が流入側魚道６ａを通って水溜め凹部４に流入することによって、水溜め凹部４に溜まっている水を泡立たせて空気中の酸素を溶け込ませることができ、これによって水溜め凹部４で休息する魚の疲労を効果的に軽減させることができる。更に、この酸素が多く含まれている水を下流側に流出させることができる。
【００１５】
また、各水溜め凹部４と接続する流入側魚道６ａと流出側魚道６ｂは、上方から見て水の流れる方向に対して直交する略水平方向に互いにずらして配置してあるので、流入側魚道６ａを通って水溜め凹部４に流入してきた上流側の水の流れの勢い（流速）を水溜め凹部４に溜まっている水により打ち消すことができ、水の流れの勢いが打ち消された水溜め凹部４内の水を流出側魚道６ｂを通って下流側に流出させることができる。従って、流入側及び流出側魚道６ａ、６ｂを流れる水の勢いを弱めることができ、これによって、魚がこの魚道１を遡り易くすることができる。
【００１６】
更に、魚道ブロック１が設置されている河川等の水量が少ないか若しくは通常程度である場合は、上流側の水を比較的狭い魚道を通して下流側に流すことにより魚道の水深が深くなり、従って、下流側の魚がこの魚道１を通って上流側に遡ることができる。そして、河川等の水量が多い場合は、側壁７、７によって魚道ブロック１から水が溢れ出ないようにすることができるので、魚がこの側壁７、７に囲まれた水路を通って上流側に向かうことができる。つまり、魚道ブロック１から水が溢れると魚が上流側に辿り着くことが難しいが、水が溢れないようにすることによって上流側に辿り着かせることができる。
【００１７】
そして、魚道ブロック１を第１及び第２の上側ブロック１ａ、１ｂと下側ブロック２１に分割してあるので、夫々のブロック１ａ、１ｂ、２１の重量を軽量にすることができるし、嵩を小さくすることができる。これによって、両者を一体型とした場合と比較して製造及び施工を比較的簡単に行うことができる。
そして、下側ブロック２１に排気孔２７、２８を設けてあるので、施工の際に下側ブロック２１の中空部に溜まった空気を外側に排出させることができ、これによって、第１の上側ブロック１ａが中空部に溜まった空気により浮き上がる方向の力を受けないようにすることができる。また、中空部に流入してきた水を第１の上側ブロック１ａの側でなく川床Ｒの側に向かって排水孔２５から排水させることができるので、中空部に流入してきた水の流れる力が第１の上側ブロック１ａを浮き上がらせる力として働かないようにすることができる。これによって、魚道ブロックを安定させて設置することができる。
【００１８】
なお、図１に示す魚道６ａ、６ｂの傾斜角度は１５°〜２０°、上流側と下流側の水位の落差は約６０ｃｍ、第１の上側ブロック１ａ、第２の上側ブロック１ｂ、及び下側ブロック２１の夫々の水の流れる方向の長さが約２１０ｃｍであるが、これ以外の角度、長さとしてもよい。
【００１９】
ただし、上記実施形態では、図１に示すように、魚道ブロック１に２つの水溜め凹部４を設けた構成としたが、魚道６に沿って１又は３以上の水溜め凹部４を設けた構成としてもよい。
そして、上記魚道ブロック１は、第１の上側ブロック１ａ、第２の上側ブロック１ｂ、及び下側ブロック２１の３つのブロックから成る構成としたが、これ以外の１、２、又は４つ以上の個数のブロックから成る構成としてもよい。
また、上記実施形態で示した魚道ブロック１を、堰堤Ｍに沿って複数列設置してもよい。
更に、上記実施形態では、魚道ブロック１を堰堤Ｍに適用したが、堰堤Ｍ以外の例えば滝やダムのある箇所に設けて、滝やダムの下流側の魚が滝等の上流側に遡ることができるようにすることができる。
【００２０】
【発明の効果】
本発明の魚道ブロックは、例えば堰堤等の下流側の川床に設置して、堰堤の上流側の水が魚道を通って下流側に流れ込むようにすることができる。このように設置された魚道ブロックによると、堰堤の上流側の水位と下流側の水位の落差が比較的大きい場合において、魚道の傾斜角度を小さくして魚道の長さが長くなっても、魚道の途中に設けてある水溜め凹部が魚の休息場所となるので、下流側の魚がこの魚道を通って堰堤の上流側に簡単に辿り着くことができる。これによって、魚の産卵に貢献することができる。
そして、魚道ブロックを小型にするために、魚道の傾斜角度を少し大きくしてその長さを短くしたときでも、上記と同様に、水溜め凹部が魚の休息場所となり、下流側の魚が堰堤の上流側に簡単にたどり着くことができる。このように、魚道ブロックを小型にすると、製造及び施工が容易となり、夫々に掛かる費用の低減を図ることができる。
また、上流側の水が魚道を通って水溜め凹部に流入することによって、水溜め凹部に溜まっている水を泡立たせて空気中の酸素を溶け込ませることができ、これによって水溜め凹部で休息する魚の疲労を効果的に軽減させることができる。更に、この酸素が多く含まれている水が下流側に流れるので、下流側の魚の育成にも貢献することができる。
【００２１】
更に、魚道が長くなったり、魚道の入口と出口の落差が大きくなると、魚道の入口から流入した水の勢いは、魚道の出口から流出するときには相当強くなるが、本発明によればこの水の勢いを低減させることができる。つまり、流入側魚道を通って水溜め凹部に流入してきた上流側の水の流れの勢い（流速）を水溜め凹部に溜まっている水により打ち消すことができ、水の流れの勢いが打ち消された水溜め凹部内の水を流出側魚道を通って下流側に流出させることができる。従って、流入側及び流出側魚道を流れる水の勢いを弱めることができ、これによって魚がこの魚道を遡り易くすることができる。
【００２３】
更に、魚道ブロックを上側ブロックと下側ブロックに分割してあるので、夫々のブロックの重量を軽量にすることができるし、嵩を小さくすることができる。これによって、一体型と比較して製造及び施工を比較的簡単に行うことができる。
そして、下側ブロックに排気孔を設けてあるので、施工の際に下側ブロックの中空部に溜まった空気を外側に排出させることができ、これによって、上側ブロックが中空部に溜まった空気により浮き上がる方向の力を受けないようにすることができる。また、中空部に流入してきた水を上側ブロックの側でなく川床の側に向かって排水孔から排水させることができるので、中空部に流入してきた水の流れる力が上側ブロックを浮き上がらせる力として働かないようにすることができる。これによって、魚道ブロックを安定させて設置することができる。
【図面の簡単な説明】
【図１】本発明の一実施形態に係る魚道ブロックを図２のＸ−Ｘ方向から見た断面図である。
【図２】同実施形態に係る魚道ブロックの平面図である。
【図３】同実施形態に係る魚道ブロックを構成する第１の上側ブロックの正面図である。
【図４】同実施形態に係る第１の上側ブロックを図２のＷ−Ｗ方向から見た断面図である。
【図５】同実施形態に係る第１の上側ブロックを図２のＺ−Ｚ方向から見た端面図である。
【図６】同実施形態に係る第１の上側ブロックを図２のＹ−Ｙ方向から見た端面図である。
【図７】同実施形態に係る魚道ブロックを構成する下側ブロックを示す図であって、（ａ）は平面図、（ｂ）は（ａ）のＡ−Ａ方向から見た断面図、（ｃ）は（ａ）のＢ−Ｂ方向から見た断面図である。
【符号の説明】
１  魚道ブロック
１ａ  第１の上側魚道ブロック
１ｂ  第２の上側魚道ブロック
２  傾斜上面
４  水溜め凹部
６  魚道
６ａ  流入側魚道
６ｂ  流出側魚道
７  側壁
２１  下側ブロック
２５  排水孔
２７、２８  排気孔
【図１】
0003768719.tif 000002
【図２】
0003768719.tif 000003
【図３】
0003768719.tif 000004
【図４】
0003768719.tif 000005
【図５】
0003768719.tif 000006
【図６】
0003768719.tif 000007
【図７】
0003768719.tif 000008